(57)【要約】　　　（修正有）【課題】市販のエアゾール殺虫剤噴霧容器を使用して手の届かない高さの樹木などにいる虫を駆除するための高所用殺虫剤噴霧補助具を安価に提供する。【解決手段】噴霧容器１０を補助具１の噴霧容器載置台３上に載せ、噴霧容器固定バンド２１で固定する。支柱５の接続部５１に延長ポール９を接続し、伸縮止具９１によって延長ポール９の長さを調整する。鎖６に接続されている紐７を引けば、圧下ピン４は押圧ヘッドを押し下げ、開閉弁を開いて殺虫剤がノズル１４より噴霧される。【選択図】図１４
0003099268.tif 000002
【実用新案登録請求の範囲】
【請求項１】
殺虫剤噴霧容器の噴霧弁の解放用押圧ヘッドを下方に圧下するための天秤状の圧下ピンと該殺虫剤噴霧容器を保持固定する噴霧容器固定具とより構成されたことを特徴とする高所用殺虫剤噴霧補助具。
【請求項２】
上記圧下ピンは一端に係止用のフックと他端に操作用紐を繋止するための繋止環とを備え、上記噴霧容器固定具は支柱、該支柱の上部に取り付けられる噴霧容器固定バンド、および該支柱の下方に取り付けられる噴霧容器載置台とを備えていることを特徴とする請求項１に記載の高所用殺虫剤噴霧補助具。
【請求項３】
上記圧下ピンは一端に係止用フックと他端に操作用紐を繋止するための繋止環とを備え、上記噴霧容器固定具は支柱、該支柱の上部に取り付けられる噴霧容器固定バンド、該支柱の下方に取り付けられる噴霧容器載置台および上記圧下ピンの係止用フックに係合するための係止片とを備えていることを特徴とする請求項１に記載の高所用殺虫剤噴霧補助具。
【考案の詳細な説明】
【０００１】
【考案の属する技術分野】
本考案は高所例えば高い樹木に付いている毛虫などを駆除するための殺虫剤を噴霧するための補助具、特にエアゾール殺虫剤用の噴霧容器を手の届かない高所で噴霧させるための補助具に関する。
【０００２】
【従来技術】
家庭用の殺虫剤として頭部の押圧ヘッドを押圧することによって殺虫剤が噴霧される噴霧容器に収容されたエアゾール殺虫剤は周知である。しかし、この種の殺虫剤は手で持った状態でヘッドを押して開閉弁を開いて噴霧させるため手の届く範囲にしか噴霧できないという欠点がある。
【０００３】
噴霧範囲を広げるためにスプレーノズルを長くしたものもあるが、そのとどく範囲にはおのずから限界がある。
【特許文献１】特開２００２−３７３６０号公報
【０００４】
【考案が解決しようとする課題】
本考案は、市販のエアゾール殺虫剤噴霧容器を使用して手の届かない高さの樹木などにいる虫を駆除するための高所用殺虫剤噴霧補助具を安価に提供することを目的としている。
【０００５】
【課題を解決するための手段】
本考案の高所用殺虫剤噴霧補助具は、殺虫剤噴霧容器の噴霧弁の解放用押圧ヘッドを下方に圧下するための天秤状の圧下ピンと該殺虫剤噴霧容器を保持固定する噴霧容器固定具とより構成したことを特徴とする。
【０００６】
上記圧下ピンは一端に係止用のフックと他端に操作用紐を繋止するための繋止環とを備え、上記噴霧容器固定具は支柱、該支柱の上部に取り付けられる噴霧容器固定バンドおよび該支柱の下方に取り付けられる噴霧容器載置台とを備えている。
【０００７】
上記支柱には長尺のポールをそのまま用いても良いが、短尺の支柱の下端に延長ポール接続部を設け、これに延長ポールを継ぎ足して使用するように構成すれば持ち運びに便利になる。
【０００８】
また、上記係止用のフックを係止するための透孔を備えていないエアゾール殺虫剤噴霧容器の場合には、圧下ピンの係止用フックに係合するための係止片を噴霧容器固定具に付設させた。
【０００９】
【考案の効果】
本考案の高所用殺虫剤噴霧補助具に市販のエアゾール殺虫剤用噴霧容器を取り付ければ、簡単に高い樹木に付いた毛虫などを駆除することができる。しかも、この補助具は市販の各種形態の噴霧容器にも対応できる特長を有する。
【００１０】
【考案の実施の態様】
本考案の最良の実施形態を次の実施例１ないし実施例３によって説明する。
【００１１】
【実施例１】
図１は本考案の高所用殺虫剤噴霧補助具１にエアゾール殺虫剤用噴霧容器１０を取り付けた状態を示す側面図である。
図中、５は補助具１の支柱、２１は支柱５に取り付けられた噴霧容器固定バンド、３は噴霧容器載置台、４は圧下ピン、６は圧下ピンに取り付けられた鎖、７は操作紐である。支柱５の下端には延長ポールを接続するための接続部５１がある。この例では、接続部５１は延長ポールの先端に設けた螺子部（図示せず）を螺合するための螺旋が支柱５のポールの内側に設けられている。
【００１２】
噴霧容器固定バンド２１は、図２に示すように、支柱５への接続端２１３、開閉端２１３−１を備えたバンド２１１よりなり、ボルト２１４、ナット２１８を用いて支柱５に着脱自在に固定されるようになっている。噴霧容器を取り付けるにはナット２１５を緩め、開閉端２１３−１を開いて噴霧容器１０をバンド２１１の中に挿入した後、ナット２１５を締めて噴霧容器１０を固定するので、噴霧容器は着脱自在になる。なお、２１９はワッシャである。
【００１３】
図３の噴霧容器固定バンド２２は図２１の噴霧容器固定バンドの変形を示し、支柱５への取り付け部２２２、開閉端２２３、２２３を備えたバンド２２１よりなり、ボルト２１４およびナット２１５によって支柱５に着脱自在に取り付けられるようになっている。開閉端２２３、２２３を開いて噴霧容器１０を挿入した後、ボルト２１６およびナット２１７によって噴霧容器１０を固定する。従って噴霧容器１０は着脱自在に固定できる。
【００１４】
図４は噴霧容器載置台３の平面図で、噴霧容器載置台３は支柱５を挿入する固定バンド３１よりなり、その解放端３２，３２にボルト３３およびナット３４を取り付け、それを締め付けて支柱５に固定する。なお、３６は切り込み部で、噴霧容器１０の底部の円周の突起部を挿入して噴霧容器１０を固定するためのものである。
【００１５】
図５は圧下ピン４の平面図で、圧下ピン４は金属または合成樹脂等よりなる剛性のピンで一端にフック４１が、他端に操作用紐７を直接または鎖６等を介して取り付ける繋止環４２が設けられている。
【００１６】
次に、本考案の高所用殺虫剤噴霧補助具１の使用方法を図１４によって説明する。図のように噴霧容器１０を補助具１の噴霧容器載置台３上に載せ、噴霧容器固定バンド２１で固定する。支柱５の接続部５１に延長ポール９を接続し、伸縮止具９１によって延長ポール９の長さを調整する。
【００１７】
噴霧容器１０の頭部１１に圧下ピン４を取り付ける。　圧下ピンの取り付け方は噴霧容器の種類によって異なる。例えば、図７、図８に示すタイプの頭部を有する噴霧容器では、頭部１１の押圧ヘッド１５はカバー１８で覆われている。レバー１６を圧下すれば押圧ヘッド１５は下方に動き開閉弁を開いてエアゾール状の殺虫剤はノズル１４より噴霧される。
【００１８】
カバー１８には透孔１７が設けられているので、図示のようにこの透孔１７に圧下ピン４のフック４１を挿入固定し、鎖６に接続されている紐７を引けば、圧下ピン４は押圧ヘッド１５を押し下げ開閉弁を開いて殺虫剤がノズル１４より噴霧される。
【００１９】
図９，図１０に示されるタイプの頭部１２では、カバー１９は押圧ヘッド１５の三方を囲むように設けれれているが、押圧ヘッド１５の上部は露出されている。しかしカバー１９の上に透孔１７が設けられているので、その透孔１７に圧下ピン４のフック４１を挿入すれば、圧下ピン４は押圧ヘッド１５の上に固定される。従って鎖６に接続されている紐７を引けば、圧下ピン４は押圧ヘッド１５を押し下げ開閉弁を開いて殺虫剤がノズル１４より噴霧される。
【００２０】
【実施例２】
図１１、図１２に示される頭部１３を持つ噴霧容器の場合は、カバー１９は押圧ヘッド１５の両側に突出しているが、押圧ヘッド１５の後方にはカバーがなく圧下ピンを固定する透孔が存在しないので、圧下ピンを固定するための部品が要求される。
【００２１】
本考案ではこのタイプの噴霧容器に対応するために、図６に示す係止片８を噴霧容器固定具に取り付けた。係止片８は金属または合成樹脂等で作成された剛性の棒状部品で、一端に圧下ピン４のフック４１を係止するための繋止環８１が、他端に固定バンド２１または２２の固定用ボルト２１４に係止するための繋止環８２がそれぞれ設けられている。
【００２２】
使用法は図１２に示すように、係止片８の係止環８１に圧下ピン４のフック４１を係止して圧下ピン４を押圧ヘッド１５上に固定し、鎖６に接続されている紐を引けば、圧下ピン４は押圧ヘッド１５を押し下げ、開閉弁を開いて殺虫剤がノズル１４より噴霧される。
【００２３】
【実施例３】
図１３は支柱５に延長ポール９を接続するための別の実施例を示すもので、支柱５の上部にはキャップ９２が嵌込まれている。キャップ９２は噴霧容器固定バンド２１を固定するためのボルト２１４およびナット２１８によって固定される。キャップ９２の先端は嵌合突起９３が設けられている。支柱５に挿入できる延長ポール９の先端に嵌合突起９３を嵌込めば延長ポール９を支柱５に接続固定できる。
【図面の簡単な説明】
【図１】本考案の高所用殺虫剤噴霧補助具にエアゾール殺虫剤噴霧容器を取り付けた状態を示す側面図。
【図２】本考案の高所用殺虫剤噴霧補助具の固定バンドの平面図。
【図３】図２の変形例を示す平面図。
【図４】本考案の高所用殺虫剤噴霧補助具の噴霧容器載置台の平面図。
【図５】本考案の高所用殺虫剤噴霧補助具の圧下ピンの平面図。
【図６】本考案の高所用殺虫剤噴霧補助具の係止片の平面図。
【図７】圧下ピンを噴霧容器のヘッド部に取り付けた状態を示す平面図。
【図８】図７の一部断面図。
【図９】圧下ピンを他の形態の噴霧容器のヘッド部に取り付けた状態を示す平面図。
【図１０】図９の一部断面図。
【図１１】圧下ピンを更に他の形態の噴霧容器のヘッド部に取り付けた状態を示す平面図。
【図１２】図１１の一部断面図。
【図１３】支柱に延長ポールを接続するための接続部の別の実施例を示す一部断面図。
【図１４】本考案の高所用殺虫剤噴霧補助具の使用状態を示す説明図である。
【符号の説明】
１　　高所用殺虫剤噴霧補助具
２１　　噴霧容器固定バンド
３　　噴霧容器載置台
４　　圧下ピン
５　　支柱
１０　　エアゾール殺虫剤用噴霧容器
【図１】
0003099268.tif 000003
【図２】
0003099268.tif 000004
【図３】
0003099268.tif 000005
【図４】
0003099268.tif 000006
【図５】
0003099268.tif 000007
【図６】
0003099268.tif 000008
【図７】
0003099268.tif 000009
【図８】
0003099268.tif 000010
【図９】
0003099268.tif 000011
【図１０】
0003099268.tif 000012
【図１１】
0003099268.tif 000013
【図１２】
0003099268.tif 000014
【図１３】
0003099268.tif 000015
【図１４】
0003099268.tif 000016